(57)【要約】【課題】  段積みとネスティングの双方が可能な中間棚を備えた逆ネスティングラックにおいて、中間棚を用いた物品の保管と中間棚を用いない物品の保管とを可能にする。【解決手段】  逆ネスティングラック１００は、上下方向に延びる左右一対の前面支柱１１，１２と、前面支柱にほぼ平行に配置され上下方向に延びる左右一対の背面支柱１３，１４と、前面支柱と背面支柱の上端部に接続されパレット載置面が形成されたパレット台座３０とをする。また、前方側が開放形状に形成され、未使用時には複数個ネスティングが可能で、使用時には複数段段積み可能である。そして、一対の背面支柱の上下方向中間部に回動可能に係止する中間棚５０を設けている。中間棚は、背面支柱に係止する後方枠と、後方枠に入れ子状で接続する前方枠と、前方枠の左右両端側に入れ子状で接続する一対の中間軸前方支持パイプ５４，５５とを有する。【選択図】  図１Ａ
2014234250.tif 000002
【特許請求の範囲】
【請求項１】
上下方向に延びる左右一対の前面支柱と、この前面支柱にほぼ平行に配置され上下方向に延びる左右一対の背面支柱と、これら前面支柱と背面支柱の上端部に接続されパレット載置面が形成されたパレット台座とを有し、前方側が開放形状に形成され、未使用時には複数個ネスティングが可能で、使用時には複数段段積み可能な逆ネスティングラックにおいて、
前記一対の背面支柱の上下方向中間部に回動可能に係止する中間棚を設け、この中間棚は、前記背面支柱に係止する後方枠と、この後方枠に入れ子状で接続する前方枠と、この前方枠の左右両端側に入れ子状で接続する一対の中間軸前方支持パイプとから構成されており、中間棚使用時にこの中間棚を前記前面支柱に係止する第１係止手段を前記前面支柱に設けると共に、中間棚未使用時にこの中間棚を、前記背面支柱を含む背面枠に格納するための第２係止手段を前記背面支柱に設けたことを特徴とする格納式中間棚を備えた逆ネスティングラック。
【請求項２】
前記前方枠は、前記中間棚の使用時には前端となる左右に延びる前方フレームと、この前方フレームにほぼ直角に取り付けた複数の側面フレームとを有し、前記前方フレームの内径は前記中間棚前方支持パイプの一方端の外径よりも大きく、前記側面フレームの内径は前記後方枠に取り付けたこの前方枠への入れ子部の外径よりも大きいことを特徴とする請求項１に記載の格納式中間棚を備えた逆ネスティングラック。
【請求項３】
前記中間棚前方支持パイプは、前記前方枠の前方フレームに入れ子状に嵌合するパイプ本体と、このパイプ本体の一方端側に設けられたフランジ状のパイプしまい板と、このパイプしまい板に接続し前記第１係止手段に固定係止する中間棚支持ピンと、前記第１係止手段からの離脱を防止するストッパとを有することを特徴とする請求項１または２に記載の格納式中間棚を備えた逆ネスティングラック。
【請求項４】
一対の前記背面支柱は前記中間棚の後方枠を係止する第３係止手段を前記第２係止手段よりも上下方向下部に有し、前記後方枠はこの第３係止手段に回動自在に係止する円管状の背面フレームと、前記前方枠が有する前記複数の側面フレームにそれぞれ嵌合可能な中間棚フレームとを有することを特徴とする請求項２または３に記載の格納式中間棚を備えた逆ネスティングラック。
【請求項５】
前記第２および第３係止手段は、一対の前記背面支柱が対向する面内に形成されており、前記第１係止手段は一対の前記前面支柱が対向する面内に形成されていることを特徴とする請求項４に記載の格納式中間棚を備えた逆ネスティングラック。
【請求項６】
前記中間棚の前方枠は前記複数の側面フレームを連接する横桟を有し、前記後方枠は複数の前記中間棚フレームを連接する横桟を有し、前記側面フレーム及び中間棚フレーム、横桟とにより樹脂パレットのブロック９点支持を可能としていることを特徴とする請求項４に記載の格納式中間棚を備えた逆ネスティングラック。
【発明の詳細な説明】
【技術分野】
【０００１】
本発明は、物品を載置可能な逆ネスティングラックに係り、特に当該ラックに格納可能な中間棚を有する場合に好適な格納式中間棚を備えた逆ネスティングラックに関する。
【背景技術】
【０００２】
物品をパレットに積載したまま保管できるようにするため、従来から逆ネスティングラックが使用されている。例えば特許文献１に記載の積載用荷物収納ラックでは、荷物積載・保管時の段積みと荷物を保管しない不使用時のネスティングの双方において、複数個積層した収納ラックが安定した状態となるようにしている。具体的には、コの字形状の下側フレーム部の両側フレーム間を荷受け部の横幅よりも外側になるよう幅広に形成し、後ろ側支柱間は荷受け部のやや内側になるよう幅狭にしている。そして、両側フレームの底面に案内溝を形成し、前側支柱の上端部にこの案内溝よりも背の高い案内用突出山形部を形成し、この山形部に前側支柱の底面部が嵌合できるようにしている。さらに、荷受け部の後端部に保持プレートを突設し、両側フレームの前端部に載置プレートを設けている。
【０００３】
パレットに積載した荷を保管する逆ネスティングラックの他の例が、特許文献２に記載されている。この公報に記載のラックでは、特許文献１に記載のものと同様にネスティングを可能とするために、左右一対の前部支柱に内側間隔よりも狭い外側間隔で左右一対の後部支柱を配置している。そして上下方向中間部に前部支柱と後部支柱間及び一対の後部支柱間を結ぶ梁を設けて平面視コ字型となる中間棚枠を設け、この中間棚枠に着脱自在に中間棚を備えている。
【先行技術文献】
【特許文献】
【０００４】
【特許文献１】特開２００７−２２３８０１号公報
【特許文献２】特開平４−１８９２０９号公報
【発明の概要】
【発明が解決しようとする課題】
【０００５】
逆ネスティングラックを段積みしたときは、フォークリフトがアクセス可能なパレットを天井面に載置可能にして、段積みするとともに、最下段のラックでは床面にパレットを置くようにしている。そのため、天井面は比較的密な格子状としてパレットの落下を防止し、底面部は開放部としてコの字型の枠のみを形成するようにする。それとともに、不使用時には保管容積を少なくするため、前後方向に入れ子状体にして、積み重ねている。
【０００６】
特許文献１に記載の荷物収納ラックでは、段積み時の作業性および保管時の安定性を保持するために、天井面に保持プレートを、前側支柱の上端部に保持プレートを配して、それぞれ天井面の後ろ枠および前側支柱の下端部と係合するようにしている。
【０００７】
しかしながら、この収納ラックでは、パレットに積載される荷物の大きさについては全く考慮されていない。すなわち、パレットに積載される荷物がこの収納ラックの高さに比べて著しく低い場合、荷物の上方は収納ラックの天井面を形成する部材である荷受け部まで全くの無駄な空間となってしまう。そのため、段積みしてもこのラックに保管可能な荷物の量が少なくなり、保管面積または収納ラックを多く必要とする。
【０００８】
一方、特許文献２に記載の保持棚は、段積みとネスティングの双方が可能であるとともに、中間棚を着脱自在にしているので、上記不具合の発生は回避できる。しかしながら、この特許文献２に記載のものは、中間棚枠に中間棚を単に載置する構造であるため、中間棚を使用しない場合には、中間棚を別途保持する場所を確保する必要がある。その結果、中間棚を必要とするときに中間棚を得られない、中間棚の部品が不足している等の不具合が生じる。このことは、普段は丈の高い荷物を保管していて、時折沢山の丈の低い荷物を保管しなければならない場合等で顕著になる。
【０００９】
本発明は上記従来技術の不具合に鑑みなされたものであり、その目的は、段積みとネスティングの双方が可能な逆ネスティングラックにおいて、中間棚を用いた物品の保管と中間棚を用いない物品の保管とを可能にするとともに、中間棚を当該ラックに自在に格納することにある。
【課題を解決するための手段】
【００１０】
上記目的を達成する本発明の特徴は、上下方向に延びる左右一対の前面支柱と、この前面支柱にほぼ平行に配置され上下方向に延びる左右一対の背面支柱と、これら前面支柱と背面支柱の上端部に接続されパレット載置面が形成されたパレット台座とを有し、前方側が開放形状に形成され、未使用時には複数個ネスティングが可能で、使用時には複数段段積み可能な逆ネスティングラックにおいて、前記一対の背面支柱の上下方向中間部に回動可能に係止する中間棚を設け、この中間棚は、前記背面支柱に係止する後方枠と、この後方枠に入れ子状で接続する前方枠と、この前方枠の左右両端側に入れ子状で接続する一対の中間軸前方支持パイプとから構成されており、中間棚使用時にこの中間棚を前記前面支柱に係止する第１係止手段を前記前面支柱に設けると共に、中間棚未使用時にこの中間棚を、前記背面支柱を含む背面枠に格納するための第２係止手段を前記背面支柱に設けたことにある。
【００１１】
そしてこの特徴において、前記前方枠は、前記中間棚の使用時には前端となる左右に延びる前方フレームと、この前方フレームにほぼ直角に取り付けた複数の側面フレームとを有し、前記前方フレームの内径は前記中間棚前方支持パイプの一方端の外径よりも大きく、前記側面フレームの内径は前記後方枠に取り付けたこの前方枠への入れ子部の外径よりも大きいのがよく、前記中間棚前方支持パイプは、前記前方枠の前方フレームに入れ子状に嵌合するパイプ本体と、このパイプ本体の一方端側に設けられたフランジ状のパイプしまい板と、このパイプしまい板に接続し前記第１係止手段に固定係止する中間棚支持ピンと、前記第１係止手段からの離脱を防止するストッパを有することが望ましい。
【００１２】
また上記特徴において、一対の前記背面支柱は前記中間棚の後方枠を係止する第３係止手段を前記第２係止手段よりも上下方向下部に有し、前記後方枠はこの第３係止手段に回動自在に係止する円管状の背面フレームと、前記前方枠が有する前記複数の側面フレームにそれぞれ嵌合可能な中間棚フレームとを有するのが好ましく、前記第２および第３係止手段は、一対の前記背面支柱が対向する面内に形成されており、前記第１係止手段は一対の前記前面支柱が対向する面内に形成されているのがよい。また、前記中間棚の前方枠は前記複数の側面フレームを連接する横桟を有し、前記後方枠は複数の前記中間棚フレームを連接する横桟を有し、側面フレーム及び中間棚フレーム、横桟とにより樹脂パレットのブロック９点支持を可能とすることが望ましい。
【発明の効果】
【００１３】
本発明によれば、段積みとネスティングの双方が可能な逆ネスティングラックの中間棚の後部枠部材の両端部を、逆ネスティングラックの後部支柱に自在に格納しかつ回動自在に保持し、この中間棚の前部枠部材を前方及び左右双方に伸縮自在にするとともに、その左右端部を離脱自在に前部支柱と後部支柱のいずれかに選択的に係止できるようにしたので、中間棚を用いた物品の保管と中間棚を用いない物品の保管が選択的に可能になる。また、中間棚を当該ラックに自在に格納できる。
【図面の簡単な説明】
【００１４】
【図１Ａ】本発明に係る格納式中間棚を備えた逆ネスティングラックの一実施例の斜視図である。
【図１Ｂ】本発明に係る格納式中間棚を備えた逆ネスティングラックの一実施例の斜視図である。
【図２】図１に示した格納式中間棚を備えた逆ネスティングラックの正面図及び側面図、背面図である。
【図３】図１に示した格納式中間棚を備えた逆ネスティングラックの上面図及び下面図である。
【図４】図１に示した格納式中間棚を備えた逆ネスティングラックが有する中間棚の格納を説明する図である。
【図５】図１に示した格納式中間棚を備えた逆ネスティングラックが有する中間棚の設置を説明する図である。
【図６】本発明に係る格納式中間棚を備えた逆ネスティングラックをネスティングした状態を示す斜視図である。
【図７】本発明に係る格納式中間棚を備えた逆ネスティングラックを段積みした状態を示す図である。
【発明を実施するための形態】
【００１５】
以下、本発明に係る格納式中間棚を備えた逆ネスティングラックの一実施例を、図面を用いて説明する。図１Ａ、図１Ｂは、逆ネスティングラック１００の一実施例の斜視図であり、図１Ａは、中間棚５０の前方フレーム５２の両端側に中間棚前方支持パイプ５４、５５を嵌合させ、この中間棚支持パイプ５４、５５を前面支柱１１、１２に係止した状態である。これは、中間棚５０の使用状態を示す図である。また、図１Ｂは中間棚５０を逆ネスティングラック１００の背面支柱１３、１４及び上部背面フレーム３４、下部背面フレーム２３が形成する背面枠に格納した状態を示す図である。
【００１６】
図２及び図３は、逆ネスティングラック１００の六面図のうち、左右対称であるから左側面図を省いた五面図及び中間棚５０の上面図である。具体的には、図２(ａ)は、逆ネスティングラック１００の正面図、同図(ｂ)は右側面図、同図(ｃ)は背面図である。また、図３(ａ)は上面図で図２(ａ)のＡ矢視図、同図(ｂ)は底面図で図２(ａ)のＣ−Ｃ断面視図、同図(ｃ)は中間棚５０の上面図で図２(ａ)のＢ−Ｂ断面視図である。
【００１７】
図４は、中間棚５０の係止作業を説明する図であり、中間棚５０を背面枠に格納するまたは背面枠への格納を解除するときの様子を示す図である。同図(ａ)は、背面枠に中間棚５０を格納した状態を示す斜視図であり、同図(ｂ)は図４(ａ)のＥ部詳細図であり、中間棚５０の後部側を回動自在に背面枠に形成した中間棚支持部材４１ａに格納する状態を示す斜視図である。また、同図(ｃ)は同図(ａ)のＤ部詳細図であり、中間棚５０の前部側を背面枠に形成した中間段未使用時係止部材に格納する状態を示す図である。
【００１８】
図５は、中間棚５０を使用して中間棚５０にパレットを載置するため、中間棚５０の前部側の中間棚前方支持パイプを前部支柱１１に形成した係止部１６に係止した様子を説明するための斜視図である。同図(ａ)は係止部１６に中間枠５０を係止したときの中間棚５０の斜視図であり、同図(ｂ)は同図(ａ)に示したＦ部の拡大図である。図６は、本発明に係る複数個の逆ネスティングラック１００をネスティングして保管する状態を示す斜視図であり、図７は本発明に係る複数個の逆ネスティングラック１００を段積みした様子を示す斜視図である。
【００１９】
図１Ａ、１Ｂにおいて、中間棚５０を備える逆ネスティングラック１００は、左右両側に配置され上下方向に延びる一対の前面支柱１１、１２と、この一対の前面支柱の背面側に配置され上下方向に延びる一対の背面支柱１３、１４とを有している。各支柱１１〜１４の下端部は、前後方向に延びる左右一対の下部側面フレーム２１、２２と、下部側面フレーム２１、２２間を接続し、左右方向に延びる下部背面フレーム２３とにより、上面視「コ」の字形状となっており、前方側が開放されている。
【００２０】
一方、各支柱１１〜１４の上端部は、前面支柱１１、１２間を接続し左右に延びる上部前面フレーム３３と、背面支柱１３、１４間を接続し左右に延びる上部背面フレーム３４と、前面支柱１１、１２と背面支柱１３、１４とを接続し、前後方向に延びる左右一対の上部側面フレーム３１、３２とで枠状に形成されている。そして、この枠内に、左右方向に延びる複数の上部フレーム(横桟)３８とこの上部フレーム３８にほぼ直交する複数の上部フレーム(横桟)３５ａ〜３５ｃとで、複数の格子が形成されている。これらフレーム３１〜３８は、この逆ネスティングラック１００の天井部を形成するとともに、パレットを積載するパレット台座３０を構成する。なお、各フレーム２１〜２３、３１〜３４や前後面支柱１１〜１４の接続部には、補強のため補強板を取り付けているが、図１Ａでは前面支柱１１、１２と上部前面フレーム３３との接続部のみ、補強板１１ｂ、１２ｂを明記している。
【００２１】
本発明に係る格納式中間棚を備えた逆ネスティングラック１００は、使用時には３段程度まで段積みが可能であり、不使用時には５〜１０個程度までネスティング保管が可能である。そのため、段積みに備えて、上部前面フレーム３３の左右両端部であって上面側には、小突起状に形成された段積み位置決め金具３６ａ、３６ｂが設けられている。また、上部背面フレーム３４の左右方向中間部であって最背面側に複数の背面位置決めプレート３７ａ、３７ｂが取り付けられている。
【００２２】
なお、前面支柱１１、１２及び背面支柱１３、１４は、中空の角柱で形成されており、段積み位置決め金具３６ａ、３６ｂが前面支柱１１、１２の底部に嵌合可能になっている。逆ネスティングラック１００を段積みした時には、下部背面フレーム２３の背面側が、背面位置決めプレート３７ａ、３７ｂに当接して、上段の逆ネスティングラック１００の位置ずれを防止する。
【００２３】
一方、ネスティングに備えて、前後に延びる下部側面フレーム２１、２２の前端側であって前面支柱１１、１２の背面には、中空の角柱状の前方段積みパイプ１１ｃ、１２ｃが下部側面フレーム２１、２２の上面に、下部側面フレーム２１、２２に沿って配置されている。また、下部背面フレーム２３の左右両端部にも、中空の角柱状の後方段積みパイプ２３ａ、２３ｂが下部背面フレーム２３の上面に、下部背面フレーム２３に沿って配置されている。
【００２４】
次に、本発明の特徴である中間棚５０について説明する。この中間棚５０はパレットに積載された荷物(積荷)の形状に応じて使用・不使用を可能にするもので、使用時には、前端部を前面支柱１１、１２に係止し、不使用時には前端部を背面支柱１３、１４に係止するものである。
【００２５】
中間棚５０は、３種４個の部材から形成されている。すなわち、背面支柱１３、１４側にその端部が係止される後方枠と、この後方枠と入れ子状に嵌合する前方枠と、使用状態では前方枠の前側左右両端部に位置する一対の中間棚前方支持パイプ５４、５５とを有している。
【００２６】
後方枠は、円管状であって左右に延びる中間棚背面フレーム５１と、この背面フレーム５１にほぼ垂直に形成され、パレットを支持する左右一対の中間棚フレーム５８ａ、５８ｂ(入れ子軸)と、左右の中間棚フレーム５８ａ、５８ｂ間を連設し、背面フレーム５１にほぼ平行であって背面フレーム５１の近くに設けられた中間棚フレーム(横桟)５９とで構成されている。
【００２７】
背面フレーム５１の左右の両端部は、図４(ｂ)に詳細を示すように、背面支柱１３、１４に形成した中間棚支持部材(第３係止手段)４１ａ、４１ｂに回動可能に保持される。ここで、中間棚支持部材４１ａは、１枚の薄板を「コ」字状に曲げた形状をしており、背面フレーム５１が当接する水平４部１ｅとこの水平部４１ｅの両側に形成される垂直部４１ｃ、４１ｄとを有している。垂直部４１ｃ、４１ｄは、中間棚支持部材４１ａに背面フレーム５１を係止させるときの脱落防止部材として作用する。中間棚支持部材４１ｂも同様の形状である。
【００２８】
前方枠は、背面フレーム５１よりも左右方向長さが短い中間棚前方フレーム５１と、この前方フレーム５２にほぼ直角に一端部が取り付けられた左右一対の中間棚前方側面フレーム５６ａ、５６ｂと、左右一対の側面フレーム５６ａ、５６ｂを接続し、側面フレーム５６ａ、５６ｂの端部近傍に配設された中間棚フレーム(横桟)５７とから構成されている。ここで、側面フレーム５６ａ、５６ｂに中間棚フレーム５８ａ、５８ｂが嵌合できるように、側面フレーム５６ａ、５６ｂの左右の距離は、中間棚フレーム５８ａ、５８ｂの左右方向距離と同じにしている。また、側面フレーム５６ａ、５６ｂの内径は、中間棚フレーム５８ａ、５８ｂの外径よりも大きい。これにより、前方枠と後方枠はその相対距離を可変にできる。
【００２９】
前方フレーム５２の左右両端部に嵌合する一対の中間棚前方支持パイプ５４、５５は、図４(ｃ)及び図５(ｂ)に詳細を示すように、前方フレーム５２に嵌合するパイプ本体５４ａと、このパイプ本体５４ａの端部に形成したフランジ状の円板であるパイプしまい板５４ｂと、パイプ本体５４ａより小径のパイプ状の中間軸支持ピン５４ｃと、この中間軸支持ピン５４ｃの先端部に取り付けたキノコ頭状のストッパ５４ｄとを有している。ここで、パイプ本体５４ａの外径は、前方フレーム５２の内径よりも小さい。これにより、中間棚前方支持パイプ５４は前方フレーム５２に対して左右方向に移動可能になる。また、パイプしまい板は、前方フレーム５２に中間棚前方支持パイプ５４を嵌合したときに、前方フレーム５２内に中間棚前方支持パイプ５４が完全に入り込むのを防止する。
【００３０】
図４(ａ)に示すように、中間棚５０の未使用時には、中間棚前方支持パイプ５４、５５は背面支柱１３、１４の上部に形成した中間棚未使用時係止部材(第１係止手段)４２ａ、４２ｂに係止される。中間棚未使用時係止部材４２ａは、図４(ｃ)に示すように、薄板を一方の辺が長い「コ」字状に曲げた形状をしており、中間棚前方支持パイプ５４が当接する水平部４２ｅの前後両側に短辺部４２ｃ及び長辺部４２ｄの２つの垂直部が形成されている。これら短辺部４２ｃ及び長辺部４２ｄは、中間棚前方支持パイプ５４をこの係止部材４２ａに係止する際の脱落防止部材として作用する。中間棚前方支持パイプ５５も同様の構成である。
【００３１】
中間棚５０を使用するときは、中間棚前方支持パイプ５４、５５を前面支柱１１、１２に設けた係止部１６、１７に係止する。図５(ａ)に示すように、前面支柱１１の上下方向中間部であって、背面支柱１３、１４に設けた中間棚支持部材４１ａ、４１ｂとほぼ上下方向高さが同じ高さのところに、中間棚前方支持パイプ５４の係止部(第２係止手段)１６が取り付けられている。
【００３２】
係止部１６は、矩形状の補強板１６ａから構成されている。補強板１６ａには、上部が大径孔１６ｄで下部が小径孔１６ｃから形成された瓢箪孔１６ｂが形成されている。大径孔１６ｄの内径は、中間棚前方支持パイプ５４の先端部に形成したストッパ５４の最大径よりも大きい。また、小径孔１６ｃの内径は、ストッパ５４の最大径よりも小さく、中間棚支持ピン５４ｃの外径よりも大きい。この補強板１６ａに形成した瓢箪穴１６ｂに対応する前面支柱１１の位置にも同様な孔または空孔が形成されている。
【００３３】
これにより中間棚前方支持パイプ５４の先端部を瓢箪穴１６ｂの大径部１６ｄに挿入した後、中間棚前方支持パイプ５４全体を下方に移動させれば、中間棚支持ピン５４ｃが小径部１６ｃに嵌合し、中間棚５０の前側枠が前面支柱１１に固定される。なお、前面支柱１２および係止部１７も、この前面支柱１１及び係止部１６と同様の構成である。
【００３４】
以上のように構成した本発明に係る逆ネスティングラック１００の使用方法を以下に説明する。図６に示すように、逆ネスティングラック１００を使用しない状態では、保管面積を低減するために、５〜１０段程度までネスティングして保管する。なお、図６では３段のネスティング状態を示している。ネスティング可能とするために、前面支柱１１、１２間の左右方向距離は背面支柱１３、１４間の左右方向距離より長くなっている。また、ネスティング時には、中間棚５０を背面支柱１３、１４に格納して背面枠からはみ出ないようにしている。このように、中間棚５０を背面枠内に収めるために、中間棚支持ピン５４ｃは、前面支柱１１に係止した場合に比べ左右方向では前方フレーム５２に引き込んだ状態となっている。つまり、中間棚支持ピン５４ｃと前方フレーム５２との相対位置関係を変化できるようにしたので、背面フレームに中間棚を格納できる。
【００３５】
一方、図７に示すように、種々雑多な荷物がパレット３１０に載置されて運ばれ、逆ネスティングラック１００に保管されるときには、パレット３１０の積荷に応じて中間棚５０を使用する。中間棚５０を使用するときは逆ネスティングラック１００内に作業者が入り、図４(ａ)に示すように、初めに前方フレーム５２を矢印で示すように上方に持ち上げて、中間棚未使用時係止部材４２ａ、４２ｂと中間棚前方支持パイプ５４、５５の係止を解除する。そして、中間棚５０の背面フレーム５１を中間棚支持部材周りにほぼ９０度回転させてほぼ水平にし、前面支柱１１、１２の位置まで前側枠を引き出すとともに、図５(ｂ)に示すように左右一対の中間棚前方支持パイプ５４、５５を前方フレーム５２から引き出す。そして、上述した様に係止部１６、１７に中間棚前方支持パイプ５４、５５を係止する。中間棚５０を使用した後、使用せず背面枠に格納する場合は、この逆の手順となる。
【００３６】
上記実施例では、第１ないし第３係止手段を、それぞれ前面支柱１１、１２または背面支柱１３、１４同士が対向する面内に形成する。これにより、中間棚５０を背面枠に格納したときに、背面枠面内から中間棚５０がはみ出ることがなく、ネスティングや積荷の邪魔になるのが防止される。
【００３７】
以上詳述したように本実施例によれば、使用時に前面支柱に係止し、不使用時には背面枠に格納可能な中間棚を設けたので、パレットに積載される積荷の形状に応じて中間棚を使用でき、荷物の保管効率が向上する。また、前面支柱への係止及び背面支柱への格納時に前方フレームの左右方向長さを調整でき、さらに中間棚の使用時と未使用時で前後方向(上下方向)長さを調整できるようにしたので、背面支柱の上下方向中間部(ほぼ半分の高さ)位置に中間棚の回動中心位置を設けることが可能になり、中間棚として効率的に利用できる。
【００３８】
本実施例によれば、作業者一人で簡単にかつ迅速に長さ調整ができる。しかも中間棚を構成する部品の総重量は１０ｋｇ以下であり、作業者に対する負担が少ない。また、逆ネスティングパレット内で中間棚の設定及び格納のいずれをも可能にしたので、段差や凹凸のない床面に作業者が位置して作業できるので、作業時の不安定性を排除できる。さらに、中間棚は軽量ではあるが金属製(鋼管製)であり、横桟及び側面フレームにより格子状に形成されているので、樹脂パレットのブロック９点を完全に支持できる。
【００３９】
上記実施例によれば、中間棚未使用時には中間棚を背面枠に格納するとともに、中間棚の部品は各逆ネスティングラックについて４点だけであって、各部品がパイプを入れ子状にした接続でありねじ等が不要であるから、中間棚部品の紛失を確実に防止できる。また、何らかの理由で中間棚を交換する必要が生じた場合であっても、中間棚の背面枠を上方に持ち上げるだけで容易に中間棚の交換が可能である。
【符号の説明】
【００４０】
１１…(左)前面支柱、１１ｂ…(支柱)補強材、１１ｃ…(前方)段積みパイプ、１２…(右)前面支柱、１２ｂ…(支柱)補強材、１２ｃ…(前方)段積みパイプ、１３…(左)背面支柱、１４…(右)背面支柱、１６…係止部(第２係止手段)、１６ａ…補強板、１６ｂ…瓢箪孔、１６ｃ…小径孔、１６ｄ…大径孔、２１、２２…(下部)側面フレーム、２３…(下部)背面フレーム、２３ａ、２３ｂ…(後方)段積みパイプ、３０…パレット台座、３１、３２…(上部)側面フレーム、３３…(上部)前面フレーム、３４…(上部)背面フレーム、３５ａ〜３５ｃ…上部フレーム(縦桟)、３６ａ、３６ｂ…段積み位置決め金具、３７ａ、３７ｂ…背面位置決めプレート、３８…上部フレーム(横桟)、４１ａ、４１ｂ…中間棚支持部材(第３係止手段)、４１ｃ、４１ｄ…垂直部、４１ｅ…水平部、４２ａ、４２ｂ…中間棚未使用時係止部材(第１係止手段)、４２ｃ…短辺側、４２ｄ…長辺側、４２ｅ…水平部、５０…中間棚、５１…(中間棚)背面フレーム、５２…(中間棚)前方フレーム、５４…中間棚前方支持パイプ、５４ａ…パイプ本体、５４ｂ…パイプしまい板、５４ｃ…中間棚支持ピン、５４ｄ…ストッパ、５５…中間棚前方支持パイプ本体、５６ａ、５６ｂ…(中間棚前方)側面フレーム、５７…中間棚フレーム(横桟)、５８ａ、５８ｂ…中間棚フレーム(入れ子軸)、５９…中間棚フレーム(横桟)、１００…逆ネスティングラック、２００…ネスティングラック、３１０…パレット、３１１…フォーク差し込み口、３２０〜３８０…荷物、４００…段積みラック。
【図１Ａ】
2014234250.tif 000003
【図１Ｂ】
2014234250.tif 000004
【図２】
2014234250.tif 000005
【図３】
2014234250.tif 000006
【図４】
2014234250.tif 000007
【図５】
2014234250.tif 000008
【図６】
2014234250.tif 000009
【図７】
2014234250.tif 000010